(57)【要約】      （修正有）【課題】導波管が形成される部分の水平方向の面積を小さくし、小型化を図る。【解決手段】マイクロストリップ線路８を含むマイクロ波回路が搭載されたプリント基板２が基台１の上面に配置され、このプリント基板２に対し導波管−マイクロストリップ変換部を介して導波管１０が設けられる導波管フィルタにおいて、上記プリント基板２の上面に、上記マイクロ波回路をシールドする枠部の役目をするシールド体１６を配置し、このシールド体１６には、上記導波管−マイクロストリップ変換部から導波管１０を形成すると共に、この導波管１０の上面側に開口１６Ｃを設ける。また、このシールド体１６の上面開口１６Ｃを塞ぐようにフィルタ部１７を設け、このフィルタ部１７の下面に、フィルタ特性を設定する溝１１を加工する。【選択図】図１
2010074588.tif 000002
【特許請求の範囲】
【請求項１】
マイクロストリップ線路を含むマイクロ波回路が搭載されたプリント基板が基台の上面に配置され、このプリント基板上の上記マイクロストリップ線路に対し導波管−マイクロストリップ変換部を介して導波管が設けられ、この導波管にフィルタ部が配置される導波管フィルタにおいて、
上記プリント基板の上面に配置され、上記マイクロ波回路をシールドする枠部を有すると共に、上記導波管−マイクロストリップ変換部から曲げ部を含む導波管が形成され、この導波管の上面側を開口状態としたシールド体と、
このシールド体の上面開口を塞ぐように配置され、フィルタ特性を設定する形状が加工されたフィルタ部と、を設けてなる導波管フィルタ。
【発明の詳細な説明】
【技術分野】
【０００１】
本発明は導波管フィルタ、特にマイクロ波帯やミリ波帯等で使用され、導波管−マイクロストリップ変換部を介して設けられた導波管フィルタの構造に関する。
【背景技術】
【０００２】
従来から、無線通信において、不要な高調波の除去、或いは不要な周波数成分の抑圧等のために、導波管フィルタが使用されており、この導波管フィルタの一例が図３及び図４に示されている。
【０００３】
図３、図４において、導波管フィルタは、下側から基台（筐体）１、プリント基板２、シールド枠３及び導波管部４が配置されており、上記基台１には、ショート面６ａを有する掘り込み穴６が２箇所に形成され、上記プリント基板２には、導波管形状に合わせた開口７及びマイクロストリップ線路８が形成され、このマイクロストリップ線路８の先端のプローブ８ａが上記開口７に突出して配置される。上記シールド枠３は、プリント基板２上のマイクロストリップ線路８やマイクロ波回路を構成する集積回路（図示していない）をシールドするための枠体であり、このシールド枠３には、導波管の入口となる貫通孔９が形成され、上記導波管部４には、図４（Ｂ）に示されるように、内部に導波管１０が形成されると共に、その上面にフィルタ特性を設定するための溝１１が形成される。
【０００４】
このような構成の導波管フィルタは、図３又は図４（Ａ）に示されるように、フィルタ部４とシールド枠３との外側位置をネジ１３で止めると共に、このシールド枠３、プリント基板２及び基台１を重ね合わせ、これらの外周位置をネジ１４で止めることで、組み立てられる。
【特許文献１】特開２００２−１１１３１２号公報
【特許文献２】特開２００４−２４２３０３号公報
【発明の開示】
【発明が解決しようとする課題】
【０００５】
しかしながら、従来の導波管フィルタでは、導波管１０及び溝１１が内部に形成された導波管部４の外周位置をシールド枠３にネジ１３で止め、更にこのシールド枠３をネジ１４で基台１に止める構成となるため、導波管部４の水平方向の面積が大きくなり、導波管フィルタの小型化が図れないという問題があった。
【０００６】
本発明は上記問題点に鑑みてなされたものであり、その目的は、導波管が形成される部分の水平方向の面積を小さくし、小型化を図ることができる導波管フィルタを提供することにある。
【課題を解決するための手段】
【０００７】
上記目的を達成するために、本発明は、マイクロストリップ線路を含むマイクロ波回路が搭載されたプリント基板が基台の上面に配置され、このプリント基板上の上記マイクロストリップ線路に対し導波管−マイクロストリップ変換部を介して導波管が設けられ、この導波管にフィルタ部が配置される導波管フィルタにおいて、上記プリント基板の上面に配置され、上記マイクロ波回路をシールドする枠部を有すると共に、上記導波管−マイクロストリップ変換部から曲げ部を含む導波管が形成され、この導波管の上面側を開口状態としたシールド体と、このシールド体の上面開口を塞ぐように配置され、フィルタ特性を設定する形状が加工されたフィルタ部と、を設けてなることを特徴とする。
【０００８】
本発明の構成によれば、従来の導波管部をシールド枠と一体にしてシールド体とし、このシールド体の上面開口に、フィルタ特性を設定する形状が加工されたフィルタ部を被せる構成となり、このシールド体をプリント基板及び基台に対しネジ止めすることで、導波管フィルタが組み立てられる。即ち、従来では、導波管を形成した導波管部が２段階でプリント基板及び基台にネジ止めされるのに対し、本発明では、導波管を形成したシールド体がプリント基板及び基台に対し１段階でネジ止めされることになる。
【発明の効果】
【０００９】
本発明の導波管フィルタによれば、従来の導波管部をシールド枠と一体にしてシールド体とし、このシールド体をプリント基板及び基台に対し１段階でネジ止めするので、導波管が形成される部分の水平方向の面積が従来よりも小さくなり、導波管フィルタの小型化を図ることができるという効果がある。
【発明を実施するための最良の形態】
【００１０】
図１及び図２には、本発明の実施例に係る導波管フィルタの構成が示されており、図示されるように、実施例の導波管フィルタは、基台１、プリント基板（回路基板）２、シールド体１６及びフィルタ部１７から構成されている。なお、図１，図２において、上記基台１、プリント基板２及びシールド体１６の裾の平坦な部分は、導波管フィルタの部分に合わせてカットして示しており、実際にはもっと広い範囲で設けられている。
【００１１】
上記基台１には、プリント基板２から通過帯域周波数の波長の略４分の１となる深さのショート面６ａを有する掘り込み穴６が２箇所に形成され、上記プリント基板２には、導波管形状に合わせた開口７及びマイクロストリップ線路８が２箇所に形成され、このマイクロストリップ線路８の先端のプローブ（導波管−マイクロストリップ変換用プローブ）８ａが上記開口７に突出して配置される。
【００１２】
上記シールド体１６は、従来のシールド枠（３）と同様に、プリント基板２上に形成されたマイクロストリップ線路８やマイクロ波回路を構成する集積回路（図示していない）をシールドするための枠体の役目をするもので、このシールド体１６には、マイクロストリップ線路８や集積回路の配置部分の周囲を囲む枠部が形成されている。そして、実施例では、このシールド体１６に、図２（Ｂ）に示されるように、２箇所の垂直部から曲げ部を介して水平部が配置される導波管１０が形成されており、この導波管１０の入口には、上記プリント基板２の開口７に設けられたプローブ８ａと上記基台１のショート面６ａを有する掘り込み穴６とにより、導波管−マイクロストリップ変換部が構成される。
【００１３】
また、上記シールド体１６では、導波管１０の上面側が開口（１６Ｃ）しており、この開口部１６Ｃを塞ぐように、上記フィルタ部１７が設けられている。このフィルタ部１７は、シールド体１６の上面と略同一の大きさの平面板であり、その下面に、所望のフィルタ特性を設定するための、例えばコルゲート型の溝１１が形成される。このフィルタ特性設定の形状としては、その他の凹凸形状を用いることができる。
【００１４】
実施例は以上の構成からなり、実施例の導波管フィルタは、例えば小さ目のネジ２１でフィルタ部１７を導波管伝送方向に沿った外周２辺においてシールド体１６に取付け固定し（この取付け固定は、例えば接着、溶着等の方法で行ってもよい）、このシールド体１６を大きめのネジ２２で外周４辺においてプリント基板２を挟みながら基台１に取り付け固定することで、組み立てられる。
【００１５】
このような実施例の導波管フィルタによれば、導波管１０を形成したシールド体１６がプリント基板２を挟んで基台１にネジ２２で取り付けられる。即ち、実施例の図２と従来の図４を比較しても分かるように、導波管１０を形成した部分（図４の導波管部４）がネジ１３，１４を用いて２段階でネジ止めされるのに対し、実施例では、導波管１０を形成した部分（図２のシールド体１６）がネジ２２を用いて１段階でネジ止めされることになる。従って、実施例の図２（Ａ）の導波管フィルタは、図４（Ａ）の従来のフィルタと比べると、水平方向の面積が小さくなり、小型化を図ることができる。
【００１６】
また、実施例では、シールド体１６の導波管１０の上面を開口とし、この開口部１６Ｃを塞ぐように平板のフィルタ部１７を配置するようにしたので、このフィルタ部１７の下面に形成するフィルタ特性のための溝１１等の加工（成形）が容易になるという利点がある。即ち、フィルタ特性のための溝１１等では、他の部分よりも高精度の加工が必要であり、このフィルタ部１７の加工を導波管１０の加工とは別に行うことで、必要な精度の形状が容易に得られる。
【図面の簡単な説明】
【００１７】
【図１】本発明の実施例に係る導波管フィルタの構成を示す分解斜視図である。
【図２】実施例の導波管フィルタの構成を示し、図（Ａ）は上面図、図（Ｂ）は側面図である。
【図３】従来の導波管フィルタの構成を示す分解斜視図である。
【図４】従来の導波管フィルタの構成を示し、図（Ａ）は上面図、図（Ｂ）は側面図である。
【符号の説明】
【００１８】
１…基台、                ２…プリント基板、
３…シールド枠、          ４…導波管部、
６…掘り込み穴、          ８…マイクロストリップ線路、
８ａ…プローブ、          １０…導波管、
１１…溝、                １６…シールド体、
１７…フィルタ部。
【図１】
2010074588.tif 000003
【図２】
2010074588.tif 000004
【図３】
2010074588.tif 000005
【図４】
2010074588.tif 000006